(57)【特許請求の範囲】
【請求項１】
無線通信システムにおいてパケット伝送のタイミングを調節する方法であって、
複数の無線ネットワークノードからレンジング信号をアクセスポイントが受信すること、
前記複数の無線ネットワークノードの各々からのパケット伝送が時間同期されるように前記レンジング信号に基づいて前記無線ネットワークノードからのパケット伝送を開始するタイミングの調節のためにタイミング調整情報を前記アクセスポイントが決定すること、前記タイミング調整情報を決定することは、
各無線ネットワークノードの伝播遅延を計算すること、
前記計算された伝播遅延から最大の伝播遅延を決定すること、
および各無線ネットワークノードの前記伝播遅延および前記最大の伝播遅延に基づいて各無線ネットワークノードのタイミング調整を決定すること
を備える、
および前記無線ネットワークノードに前記タイミング調整情報を前記アクセスポイントが伝えること
を備える方法。
【請求項２】
前記無線ネットワークノードにレンジング要求メッセージを前記アクセスポイントが送信することをさらに備え、そして前記レンジング信号は、前記レンジング要求メッセージに応じて受信される、請求項１の方法。
【請求項３】
前記複数の無線ネットワークノードはレンジンググループに属すること、および前記レンジング要求メッセージは、宛先アドレスとして、前記レンジンググループに対応する識別を含む請求項２の方法。
【請求項４】
レンジング信号は、符号分割多元接続（ｃｏｄｅ  ｄｉｖｉｓｉｏｎ  ｍｕｌｔｉｐｌｅ  ａｃｃｅｓｓ：ＣＤＭＡ）送信スキームを使用して、前記無線ネットワークノードから送信される請求項１の方法。
【請求項５】
前記無線ネットワークノードに前記タイミング調整情報を伝えることは、
前記タイミング調整情報を含んでいる１つ以上の要求メッセージ（ＲＭ）を前記アクセスポイントが送信すること
を備える請求項１の方法。
【請求項６】
前記タイミング調整情報を含む１つ以上の要求メッセージ（ｒｅｑｕｅｓｔ  ｍｅｓｓａｇｅ：ＲＭ）を前記アクセスポイントが送信することは、
前記複数の無線ネットワークノードのブロードキャストアドレスを有する要求メッセージ（ＲＭ）を送信することを備え、
そして、前記要求メッセージは、前記複数の無線ネットワークノードのためのタイミング調整情報を含む請求項５の方法。
【請求項７】
さらに、前記無線ネットワークノードのための前記タイミング調整情報を更新するために、前記受信すること、決定すること、および伝えることを前記アクセスポイントが繰り返すことを備える請求項１の方法。
【請求項８】
無線通信システムにおけるパケット伝送のタイミングを調節する方法であって、
タイミング調整情報を複数の無線ネットワークノードの無線ネットワークノードが受信すること、前記タイミング調整情報は、
前記複数の無線ネットワークノードの各無線ネットワークノードの伝播遅延を計算すること、
前記計算された伝播遅延から最大の伝播遅延を決定すること、
および各無線ネットワークノードの前記伝播遅延および前記最大の伝播遅延に基づいて各無線ネットワークノードのタイミング調整を決定すること
によりアクセスポイントによって決定される、
および同時に多元接続（ＭＡ）スキームによってパケットを送信するために前記複数の無線ネットワークノードによって使用されるアップリンク接続でパケットを送信する前記タイミングを調節するために前記タイミング調整情報を前記無線ネットワークノードが利用すること
を備える方法。
【請求項９】
レンジング信号を前記無線ネットワークノードが送信することをさらに備え、
そして、そこでは前記受信されるタイミング調整情報は、少なくとも一部分で、前記送信されるレンジング信号に基づいて計算される請求項８の方法。
【請求項１０】
レンジング要求メッセージを前記無線ネットワークノードが受信すること、および
前記レンジング要求メッセージに応じて前記レンジング信号を前記無線ネットワークノードが送信すること
をさらに備える請求項９の方法。
【請求項１１】
多元接続スキームは空間の区分多元接続（ｓｐａｔｉａｌ  ｄｉｖｉｓｉｏｎ  ｍｕｌｔｉｐｌｅ  ａｃｃｅｓｓ：ＳＤＭＡ）を備える請求項８の方法。
【請求項１２】
無線通信システムにおけるパケット伝送のタイミングを調節するための装置であって、
複数の無線ネットワークノードからレンジング信号を受信するためのロジック、
前記複数の無線ネットワークノードの各々からのパケット伝送が時間同期されるように前記レンジング信号に基づいて前記無線ネットワークノードからのパケット伝送を開始するタイミングを調節するためにタイミング調整情報を決定するためのロジック、前記タイミング調整情報を決定するためのロジックは、
各無線ネットワークノードの伝播遅延を計算するためのロジック、
前記計算された伝播遅延から最大の伝播遅延を決定するためのロジック、
および各無線ネットワークノードの前記伝播遅延および前記最大の伝播遅延に基づいて各無線ネットワークノードのタイミング調整を決定するためのロジック
を備える
および前記無線ネットワークノードに前記タイミング調整情報を伝えるためのロジック
を含む装置。
【請求項１３】
前記無線ネットワークノードにレンジング要求メッセージを送信するためのロジックをさらに備え、
そして、そこでは前記レンジング信号は、前記レンジング要求メッセージに応じて複数の無線ネットワークノードから送られる請求項１２の装置。
【請求項１４】
前記複数の無線ネットワークノードは、レンジンググループに属し、
そして、前記レンジング要求メッセージは、宛先アドレスとして、前記レンジンググループに対応する識別を含む請求項１３の装置。
【請求項１５】
レンジング信号は、符号分割多元接続（ｃｏｄｅ  ｄｉｖｉｓｉｏｎ  ｍｕｌｔｉｐｌｅ  ａｃｃｅｓｓ：ＣＤＭＡ）送信スキームを使用して、前記無線ネットワークノードから送信される請求項１２の装置。
【請求項１６】
前記無線ネットワークノードに前記タイミング調整情報を伝えることは、
前記タイミング調整情報を含んでいる１つ以上の要求メッセージ（ＲＭ）を送信するためのロジックを備える請求項１２の装置。
【請求項１７】
前記タイミング調整情報を含んでいる１つ以上の要求メッセージ（ＲＭ）を送信することは、
前記複数の無線ネットワークノードのブロードキャストアドレスを持ち、前記複数の無線ノードのためのタイミング調整情報を含んでいる要求メッセージ（ＲＭ）を送信するためのロジックを備える請求項１６の装置。
【請求項１８】
前記無線ネットワークノードが周期的に通信する前記タイミング調整情報を通信する前記ロジックは、前記無線ノードに対してタイミング調整情報を更新する請求項１２の装置。
【請求項１９】
無線通信システムにおけるパケット伝送のタイミングを調節するための装置であって、
タイミング調整情報を受信するためのロジック、前記タイミング調整情報は、
複数の無線ネットワークノードの各無線ネットワークノードの伝播遅延を計算すること、
前記計算された伝播遅延から最大の伝播遅延を決定すること、
および各無線ネットワークノードの前記伝播遅延および前記最大の伝播遅延に基づいて各無線ネットワークノードのタイミング調整を決定すること
によって決定される、
および同時に多元接続（ＭＡ）スキームによってパケットを送信するために前記複数の無線ネットワークノードによって使用されるアップリンク接続でパケットを送信するタイミングを調節するために前記タイミング調整情報を利用するためのロジック
を備える装置。
【請求項２０】
レンジング信号を送信するためのロジックをさらに備え、
そして、前記受信されたタイミング調整情報は、少なくとも一部分において、前記送信されたレンジング信号に基づいて計算される請求項１９の装置。
【請求項２１】
レンジング要求メッセージを受信するためのロジック、
および前記レンジング要求メッセージに応じて前記レンジング信号を送信するためのロジック
をさらに備える請求項２０の装置。
【請求項２２】
前記多元接続スキームは、空間分割多元接続（ｓｐａｔｉａｌ  ｄｉｖｉｓｉｏｎ  ｍｕｌｔｉｐｌｅ  ａｃｃｅｓｓ：ＳＤＭＡ）を備える請求項１９の装置。
【請求項２３】
無線通信システムにおけるパケット伝送のタイミングを調節するための装置であって、
複数の無線ネットワークノードからレンジング信号を受信するための手段、
前記複数の無線ネットワークノードの各々からのパケット伝送が時間同期されるように前記レンジング信号に基づいて前記無線ネットワークノードからのパケット伝送を開始するタイミングの調節のためにタイミング調整情報を決定するための手段、前記タイミング調整情報を決定するための手段は、
各無線ネットワークノードの伝播遅延を計算するための手段、
前記計算された伝播遅延から最大の伝播遅延を決定するための手段、
および各無線ネットワークノードの前記伝播遅延および前記最大の伝播遅延に基づいて各無線ネットワークノードのタイミング調節を決定するための手段
を備える、
および前記無線ネットワークノードに前記タイミング調整情報を伝えるための手段
を備える装置。
【請求項２４】
前記無線ネットワークノードにレンジング要求メッセージを送信するための手段をさらに備え、
そして、前記レンジング信号は、前記レンジング要求メッセージに応じて前記複数の無線ネットワークノードから送られる請求項２３の装置。
【請求項２５】
前記複数の無線ネットワークノードはレンジンググループに属し、
そして、前記レンジング要求メッセージは、宛先アドレスとして、前記レンジンググループに対応する識別を備える請求項２４の装置。
【請求項２６】
レンジング信号は、符号分割多元接続（ＣＤＭＡ）送信スキームを使用して、前記無線ネットワークノードから送信される請求項２３の装置。
【請求項２７】
前記無線ネットワークノードに前記タイミング調整情報を伝えるための手段は、
前記タイミング調整情報を含んでいる１つ以上の要求メッセージ（ＲＭ）を送信するための手段
を備える請求項２３の装置。
【請求項２８】
前記タイミング調整情報を含んでいる１つ以上の要求メッセージ（ＲＭ）を送信するための手段は、
前記複数の無線ネットワークノードのブロードキャストアドレスを持っており、前記複数の無線ネットワークノードのためのタイミング調整情報を含んでいる要求メッセージ（ＲＭ）を送信するための手段
を備える請求項２７の装置。
【請求項２９】
前記無線ネットワークノードが周期的に通信する前記タイミング調整情報を通信するための手段は、前記無線ネットワークノードに対するタイミング調整情報を更新する請求項２３の装置。
【請求項３０】
無線通信システムでのパケット伝送のタイミングを調節するための装置であって、
タイミング調整情報を受信するための手段、前記タイミング調整情報は、
複数の無線ネットワークの各ノードの伝播遅延を計算すること、
前記計算された伝播遅延から最大の伝播遅延を決定すること、
および各無線ネットワークノードの前記伝播遅延および前記最大の伝播遅延に基づいて各無線ネットワークノードのタイミング調整を決定すること
によって決定される、
および同時に多元接続（ＭＡ）スキームによってパケットを送信するために前記複数無線ネットワークノードによって使用されるアップリンク接続でパケットを送信する前記タイミングを調節するために前記タイミング調整情報を利用するための手段
を備える装置。
【請求項３１】
レンジング信号を送信するための手段をさらに備え、
そして、前記受信されたタイミング調整情報は、少なくとも一部分において、前記送信されたレンジング信号に基づいて計算される請求項３０の装置。
【請求項３２】
レンジング要求メッセージを受信するための手段、
および前記レンジング要求メッセージに応じて前記レンジング信号を送信するための手段
をさらに備える請求項３１の装置。
【請求項３３】
前記多元接続スキームは、空間分割多元接続（ＳＤＭＡ）を備える請求項３０の装置。
【請求項３４】
無線通信システムでのパケット伝送のタイミングを調整するための命令を記憶するコンピュータ可読記憶媒体であって、
前記命令は、１台以上のプロセッサによって実行可能な命令であり、
また、前記命令は、
複数の無線ネットワークノードからレンジング信号を受信すること、
前記複数の無線ネットワークノードの各々からのパケット伝送が時間同期されるように前記レンジング信号に基づいて前記無線ネットワークノードからのパケット伝送を開始するタイミングを調節するためにタイミング調整情報を決定すること、前記タイミング調整情報を決定することは、
各無線ネットワークノードの伝播遅延を計算すること、
前記計算された伝播遅延から最大の伝播遅延を決定すること、
および各無線ネットワークノードの前記伝播遅延および前記最大の伝播遅延に基づいて各無線ネットワークノードのタイミング調整を決定すること
を備える、
および前記無線ネットワークノードに前記タイミング調整情報を伝えること
のための命令を備える、コンピュータ可読記憶媒体。
【請求項３５】
無線通信システムでのパケット伝送のタイミングを調整するための命令を記憶するコンピュータ可読記憶媒体であって、
前記命令は、１台以上のプロセッサによって実行可能な命令であり、
また、前記命令は、
複数の無線ネットワークノードの各ノードの伝播遅延を計算すること、
前記計算された伝播遅延から最大の伝播遅延を決定すること、
および各ノードの前記伝播遅延および前記最大の伝播遅延に基づいて各ノードのタイミング調整を決定すること
によって決定されるタイミング調整情報を受信すること、
および同時に多元接続（ＭＡ）スキームによってパケットを送信するために多数の無線ネットワークノードによって使用されるアップリンク接続でパケットを送信する前記タイミングを調節するために前記タイミング調整情報を利用すること
のための命令を備えるコンピュータ可読記憶媒体。
【発明の詳細な説明】
【背景技術】
【０００１】
関係する出願への相互参照
本出願は、２００８年８月２０日に出願され、参照により全体にここに組み込まれる米国仮特許出願第６１／０９０，４３８号の利益を主張する。
【０００２】
無線通信システムのために要求される帯域幅の必要量を増加させる問題を扱うために、異なるスキームは高いデータ効率を達成する間に同じチャネル（同じ時間と周波数のリソース）を共有することにより、単一の基地局と複数ユーザ端末が通信することを可能にするために開発されている。空間分割多元接続（Ｓｐａｔｉａｌ  Ｄｉｖｉｓｉｏｎ  Ｍｕｌｔｉｐｌｅ  Ａｃｃｅｓｓ：ＳＤＭＡ）は、次世代通信システムに対する一般的な技術として最近出現した１つのアプローチを表わす。ＳＤＭＡ技術は、ＩＥＥＥ  ８０２．１１（ＩＥＥＥは、ニューヨーク州、ニューヨーク、パーク街３、１７階、電気電子学会の頭文字である。）および第３世代パートナーシッププロジェクト（ｔｈｅ  ３ｒｄ  Ｇｅｎｅｒａｔｉｏｎ  Ｐａｒｔｎｅｒｓｈｉｐ  Ｐｒｏｊｅｃｔ：３ＧＰＰ）のようないくつかの新興の無線通信標準に採用された。
【０００３】
ＳＤＭＡシステムにおいて、基地局は、同時に及び同じ周波数を使用して複数のモバイルのユーザ端末へ異なる信号を送信し、また、それらから受信し得る。信頼できるデータ通信を達成するために、ユーザ端末は十分に異なる方向に位置する必要があり得る。独立した信号は、基地局で複数の空間分離されたアンテナの各々から同時に送信され得る。従って、結合送信は指向性があり得る、つまり、各ユーザ端末専用の信号は、特にそのユーザ端末の方向に比較的強く、他のユーザ端末の方向に十分に弱いかもしれない。同様に、基地局は、空間において分離されたアンテナの各々を通して複数のユーザ端末から同じ周波数上で同時に結合信号を受信し得、多数のアンテナからの結合した受信信号は、適切な信号処理技術を適用することにより各ユーザ端末から送信された独立した信号へ分割され得る。
【０００４】
多入力多出力（ｍｕｌｔｉｐｌｅ−ｉｎｐｕｔ  ｍｕｌｔｉｐｌｅ−ｏｕｔｐｕｔ：ＭＩＭＯ）無線システムは、データ伝送のための多数の（ＮＴ個の）送信アンテナ及び多数の（ＮＲ個の）受信アンテナを使用する。ＮＴ個の送信アンテナ及びＮＲ個の受信アンテナによって形成されたＭＩＭＯチャネルは、ＮＳ個の空間のチャネルへ分解され得る、ここで、ＮＳ≦ｍｉｎ｛ＮＴ，ＮＲ｝である。ＮＳ個の空間チャネルはより大きな全面的な処理能力を達成するＮＳ個の独立したデータストリームを送信するために使用され得る。
【０００５】
ＳＤＭＡに基づいたマルチアクセスのＭＩＭＯシステムにおいて、アクセスポイントは任意の与えられた瞬間で１つ以上のユーザ端末と通信することができる。アクセスポイントが単一のユーザ端末と通信する場合、ＮＴ個の送信アンテナは、１つの送信するエンティティに関係する（例えば、アクセスポイントあるいはユーザ端末のいずれか）、また、ＮＲ個の受信アンテナは、１つの受信するエンティティ（例えばユーザ端末あるいはアクセスポイントのいずれか）に関係する。アクセスポイントは、さらにＳＤＭＡを介して多数のユーザ端末と同時に通信することができる。ＳＤＭＡについては、アクセスポイントは、データ送受信用の多数のアンテナを利用し、また、ユーザ端末の各々は、典型的にはデータ送信のための１つのアンテナと受信のための多数のアンテナを利用する。
【概要】
【０００６】
ある実施例は、無線通信システムでのパケット伝送のタイミングを調節する方法を提供する。方法は一般に複数個の無線ネットワークノードからレンジング信号を受け取り、レンジング信号に基づいた無線ネットワークノードからのパケット伝送の開始タイミングを調節するためにタイミング調整情報を決定し、無線ネットワークノードにタイミング調整情報を伝えることを含んでいる。
【０００７】
ある実施例は、無線通信システムにおけるパケット伝送のタイミングを調節する方法を提供する。方法は、一般に、同時に多元接続（ｍｕｌｔｉｐｌｅ  ａｃｃｅｓｓ：ＭＡ）スキームによってパケットを送信するために、受信タイミング調整情報を受信し、多数の無線ノードによって使用されるアップリンク接続においてパケットを送信するタイミングを調節するためのタイミング調整情報を利用することを含んでいる。
【０００８】
ある実施例は、無線通信システムにおけるパケット伝送のタイミングを調節するために装置を提供する。装置は、一般に、複数の無線ネットワークノードからレンジング信号を受信するためのロジック、レンジング信号に基づいた無線ネットワークノードからのパケット伝送の開始タイミングの調節のためにタイミング調整情報を決定するためのロジック、および無線ネットワークノードにタイミング調整情報を伝えるためのロジックを含む。
【０００９】
ある実施例は、無線通信システムでのパケット伝送のタイミングを調節するために装置を提供する。装置は、一般に、タイミング調整情報を受信するためのロジックと、同時に多元接続（ＭＡ）スキームを介してパケットを送信するために多数の無線ノードによって使用されるアップリンク接続についてパケットを送信するタイミングを調節するためにタイミング調整情報を利用するためのロジックを含む。
【００１０】
ある実施例は、無線通信システムでのパケット伝送のタイミングを調節するために装置を提供する。装置は、一般に、複数の無線ネットワークノードからの受信レンジング信号のための手段、レンジング信号に基づいて無線ネットワークノードからのパケット伝送の調節するスタートするタイミングのための決定するタイミング調整情報のための手段、および無線ネットワークノードへのタイミング調整情報の通信のための手段を含む。
【００１１】
ある実施例は、無線通信システムでのパケット伝送のタイミングを調節するために装置を提供する。装置は、一般に受信タイミング調整情報を受信するための手段、および同時に多元接続（ＭＡ）スキームによってパケットを送信するために多数の無線ノードによって使用されるアップリンク接続についてパケットを送信するタイミングを調節するためにタイミング調整情報を利用するための手段を含んでいる。
【００１２】
ある実施例は、そこに記憶された命令を有するコンピュータ読み出し可能な媒体を備える無線通信システムにおけるパケット伝送のタイミングを調節するためのコンピュータプログラム製品を提供し、その命令は、１つ以上のプロセッサによって実行可能である。その命令は、一般に、複数の無線ネットワークノードからレンジング信号を受信し、レンジング信号に基づいた無線ネットワークノードからのパケット伝送の開始タイミングの調節のためにタイミング調整情報を決定し、無線ネットワークノードにタイミング調整情報を伝えるための命令を含む。
【００１３】
ある実施例は、そこに記憶されている命令を有するコンピュータ読み出し可能な媒体を備えた無線通信システムにおけるパケット伝送のタイミングを調節するためのコンピュータプログラム製品を提供し、その命令は、１つ以上のプロセッサによって実行可能である。その命令は、一般に、タイミング調整情報を受信し、および同時に多元接続（ＭＡ）スキームによってパケットを送信するために多数の無線ノードによって使用されるアップリンク接続についてパケットを送信するタイミングを調節するためにタイミング調整情報を利用するための命令を含む。
【図面の簡単な説明】
【００１４】
それで、この開示の上記で列挙された特徴が詳細な、上記で要約された特有の記載において理解されるような方法は、実施例への参照によって持たれ得、それらのうちのいくらかは添付された図面において例示される。しかし、添付された図面は、この開示のある典型的な実施例だけを例証し、したがって、記述のために、その範囲を制限するよう考えられるべきでなく、その記載について他の等しく有効な実施例を認め得ることが注目されるべきである。
【図１】図１は、この開示のある実施例に従って空間分割多元接続ＭＩＭＯ無線システムを示す。
【図２】図２は、この開示のある実施例に従ってアクセスポイントおよび２つのユーザ端末のブロック図を示す。
【図３】図３は、この開示のある実施例に従って、無線デバイスの例のコンポーネントを例示する。
【図４】図４は、開示の１つの実施例によって、レンジング信号を使用して、ＷＬＡＮを同期させる方法を例示するフロー図である。
【図４Ａ】図４Ａは、図４に示される動作を行なうことができる例のコンポーネントを例示する。
【図５】図５は、開示の１つの実施例によって、レンジング信号を使用して、ＷＬＡＮを同期させる例を例示するタイミング図である。
【図６】図６は、開示の１つの実施例に従って、トレーニング要求メッセージ（ＴＲＭ）の例のフォーマットを例示する。
【図７】図７は、開示の１つの実施例に従って、レンジング要求（ＲＮＧ−ＲＥＱ）メッセージの例のフォーマットを例示する。
【詳細な説明】
【００１５】
「典型的である（ｅｘｅｍｐｌａｒｙ）」という単語は「例（ｅｘａｍｐｌｅ）、事例（ｉｎｓｔａｎｃｅ）、あるいは実例（ｉｌｌｕｓｔｒａｔｉｏｎ）として役立つ」ことを意味するためにここで使用される。「典型的である」としてここに記載された任意の実施例は、好まれるか、他の実施例を超えて有利であるように必ずしも解釈さるべきでない。
【００１６】
ここに記述された多重アンテナの伝送技術は、符号分割多元接続方式（Ｃｏｄｅ  Ｄｉｖｉｓｉｏｎ  Ｍｕｌｔｉｐｌｅ  Ａｃｃｅｓｓ：ＣＤＭＡ）、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）、時分割多元接続方式など（Ｔｉｍｅ  Ｄｉｖｉｓｏｎ  Ｍｕｌｔｉｐｌｅ  Ａｃｃｅｓｓ：ＴＤＭＡ）のようなさまざまな無線技術と結合して使用され得る。複数のユーザ端末は、異なる（１）ＣＤＭＡのための直交符号チャネル、（２）ＴＤＭＡのためのタイムスロット、あるいは（３）ＯＦＤＭのためのサブバンドを介して同時にデータを送受信することができる。ＣＤＭＡシステムはＩＳ−２０００、ＩＳ−９５、ＩＳ−８５６、広帯域ＣＤＭＡ（Ｗ−ＣＤＭＡ）、あるいは他のいくつかの標準をインプリメントし得る。ＯＦＤＭシステムは、ＩＥＥＥ  ８０２．１１あるいは他のいくつかの標準をインプリメントし得る。ＴＤＭＡシステムはＧＳＭ（登録商標）あるいは他のいくつかの標準をインプリメントし得る。これらのさまざまな標準は、この技術において知られている。
【００１７】
図１は、アクセスポイントとユーザ端末を備えた多重アクセスのＭＩＭＯシステム１００を示す。簡単のために、１つのアクセスポイント１１０だけが図１に示される。アクセスポイントは、一般に、ユーザ端末と通信する固定局であり、さらに、基地局またはある他の用語として呼ばれ得る。ユーザ端末は固定されるか可動であり、移動局、無線デバイス、あるいはある他の用語として呼ばれ得る。アクセスポイント１１０は、ダウンリンクとアップリンク上の任意の与えられた瞬間で１つ以上のユーザ端末１２０と通信し得る。ダウンリンク（つまり、フォワードリンク）はアクセスポイントからユーザ端末までの通信リンクであり、また、アップリンク（つまり、リバースリンク）はユーザ端末からアクセスポイントまでの通信リンクである。ユーザ端末は、さらに、別のユーザ端末とピア・ツー・ピア通信し得る。システムコントローラ１３０は、アクセスポイントについての調整およびコントロールを連結し、提供する。
【００１８】
以下の開示の部分はある実施例のために、ＳＤＭＡによって通信することができるユーザ端末１２０を記載するだろうが、ユーザ端末１２０はさらに、ＳＤＭＡを支援しないいくつかのユーザ端末を含み得る。したがって、そのような実施例については、ＡＰ１１０はＳＤＭＡのユーザ端末および非ＳＤＭＡのユーザ端末の両方と通信するように構成され得る。このアプローチは、ユーザ端末（「レガシー」局）のより古いバージョンが、有用な寿命を拡張して企業において配置されたままであることを可能にする一方、適切であると考えられるようにより新しいＳＤＭＡのユーザ端末が導入されることを可能にする。
【００１９】
システム１００は、ダウンリンクとアップリンク上のデータ伝送のために多数の送信アンテナおよび受信アンテナを使用する。アクセスポイント１１０はＮａｐアンテナを装備しており、ダウンリンクのための多入力（ｍｕｌｔｉｐｌｅ−ｉｎｐｕｔ：ＭＩ）を表し、アップリンク伝送のために多出力（ｍｕｌｔｉｐｌｅ−ｏｕｔｐｕｔ：ＭＯ）を表わす。１組のＮｕ個の選択されたユーザ端末１２０は、一括して、ダウンリンク送信のための多出力およびアップリンク送信のための多入力を表わす。純粋なＳＤＭＡについては、Ｎｕ個のユーザ端末のためのデータシンボルストリームがいくつかの手段によって、コード、周波数、あるいは時間において多重化されない場合に、Ｎａｐ≧Ｎｕ≧１を有することが望まれる。データシンボルストリームがＣＤＭＡを備えた異なるコードチャネルを使用して多重化され、ＯＦＤＭを備えたサブバンドの組を解体することができる場合、ＮｕはＮａｐより大きくなり得る。それぞれの選択されたユーザ端末はユーザ固有のデータを送信し、および／またはアクセスポイントからユーザ固有データを受信する。一般に、それぞれの選択されたユーザ端末は、１あるいは多数のアンテナ（つまりＮｕｔ≧１）を装備し得る。Ｎｕ個選択された端末は、同じまたは異なる数のアンテナを持ち得る。
【００２０】
ＳＤＭＡシステム１００は、時分割複信（ｔｉｍｅ  ｄｉｖｉｓｉｏｎ  ｄｕｐｌｅｘ：ＴＤＤ）システムあるいは周波数分割複信（ｆｒｅｑｕｅｎｃｙ  ｄｉｖｉｓｉｏｎ  ｄｕｐｌｅｘ：ＦＤＤ）システムかもしれない。ＴＤＤシステムについては、ダウンリンクとアップリンクは同じ周波数帯を共有する。ＦＤＤシステムについては、ダウンリンクとアップリンクは異なる周波数帯を使用する。ＭＩＭＯシステム１００は、さらに送信用の単一のキャリアか多数のキャリアを利用し得る。それぞれのユーザ端末は、単一のアンテナ（例えばコストを抑えるために）、あるいは多数のアンテナ（例えば追加費用が支援される場合）を装備し得る。
【００２１】
図２は、ＭＩＭＯシステム１００においてアクセスポイント１１０と２台のユーザ端末１２０ｍおよび１２０ｘのブロック図を示す。アクセスポイント１１０は、Ｎａｐ個のアンテナ２２４ａ〜２２４ａｐを装備している。ユーザ端末１２０ｍは、Ｎｕｔ，ｍ個のアンテナ２５２ｍａ〜２５２ｍｕを装備し、また、ユーザ端末１２０ｘはＮｕｔ，ｘのアンテナ２５２ｘａ〜２５２ｘｕを装備している。アクセスポイント１１０は、ダウンリンク用の送信するエンティティおよびアップリンク用の受信するエンティティである。それぞれのユーザ端末１２０は、アップリンク用の送信するエンティティおよびダウンリンク用の受信するエンティティである。ここに使用されるように、「送信するエンティティ」は、無線チャネル経由でデータを送信することができる、独立して動作される装置あるいはデバイスである。また、「受信するエンティティ」は、無線チャネル経由でデータを受信することができる、独立して動作される装置あるいはデバイスである。次の記述では、添字「ｄｎ」はダウンリンクを表し、添字「ｕｐ」はアップリンクを表し、Ｎｕｐ個のユーザ端末はアップリンク上の同時伝送のために選ばれ、Ｎｄｎ個のユーザ端末はダウンリンク上の同時伝送のために選ばれ、ＮｕｐはＮｄｎと等しいかもしれないし、等しくないかもしれなく、ＮｕｐとＮｄｎは静的な値かもしれないし、または、各予定する間隔に対して変わることができる。ビームステアリングあるいは他のある空間処理技術はアクセスポイントとユーザ端末で使用されてもよい。
【００２２】
アップリンクにおいて、アップリンク伝送に選ばれた各ユーザ端末１２０で、ＴＸデータ処理装置２８８がデータソース２８６からトラフィックデータを受信し、コントローラ２８０から制御データを受信する。ＴＸデータ処理装置２８８は、ユーザ端末の対して選ばれたレートに関係する符号化及び変調に基づきユーザ端末についてのトラフィックデータ｛ｄｕｐ，ｍ｝を処理（例えば、符号化、インターリーブ、変調）し、データシンボルストリーム｛ｓｕｐ，ｍ｝を提供する。ＴＸの空間プロセッサ２９０は、データシンボルストリーム｛ｓｕｐ，ｍ｝についても空間処理を実行し、Ｎｕｔ，ｍ個のアンテナのためのＮｕｔ，ｍ個の送信シンボルストリームを提供する。それぞれの送信機ユニット（ＴＭＴＲ）２５４は、アップリンク信号を生成するためにそれぞれの送信シンボルストリームを受信し、処理（例えば、アナログに変換、増幅、濾波、または、周波数上昇変換）する。Ｎｕｔ，ｍ個の送信機ユニット２５４は、Ｎｕｔ，ｍ個のアンテナ２５２からアクセスポイントまでの送信のためにアップリンク信号を提供する。
【００２３】
Ｎｕｐ個のユーザ端末は、アップリンク上の同時伝送のために予定され得る。これらのユーザ端末の各々は、そのデータシンボルストリーム上で空間処理を行ない、アクセスポイントへのアップリンク上の送信シンボルストリームのセットを送信する。
【００２４】
アクセスポイント１１０で、Ｎａｐ個のアンテナ２２４ａ〜２２４ａｐは、アップリンク上で送信するすべてのＮｕｐ個のユーザ端末からアップリンク信号を受信する。それぞれのアンテナ２２４は、それぞれの受信機ユニット（ＲＣＶＲ）２２２に受信信号を供給する。それぞれの受信機ユニット２２２は、送信機ユニット２５４によって実行されたそれに補足的な処理を実行し、受信シンボルストリームを提供する。ＲＸ空間プロセッサ２４０は、Ｎａｐ個の受信機ユニット２２２からＮａｐ個の受信シンボルストリームについての受信機空間処理を実行し、Ｎｕｐ個の回復されたアップリンクデータシンボルストリームを提供する。受信機の空間処理は、チャネル相関行列反転（ｃｈａｎｎｅｌ  ｃｏｒｒｅｌａｔｉｏｎ  ｍａｔｒｉｘ  ｉｎｖｅｒｓｉｏｎ：ＣＣＭＩ）、最小平均二乗誤差（ｍｉｎｉｍｕｍ  ｍｅａｎ  ｓｑｕａｒｅ  ｅｒｒｏｒ：ＭＭＳＥ）、柔軟な干渉除去（ｓｏｆｔ  ｉｎｔｅｒｆｅｒｅｎｃｅ  ｃａｎｃｅｌｌａｔｉｏｎ：ＳＩＣ）、あるいはいくつかの他の技術に従って実行される。それぞれの回復されたアップリンクデータシンボルストリーム｛ｓｕｐ，ｍ｝は、それぞれのユーザ端末によって送信されたデータシンボルストリーム｛ｓｕｐ，ｍ｝の推定である。ＲＸデータ処理装置２４２は、復号されるデータを得るためにそのストリームに使用されるレートに従ってそれぞれの回復されたアップリンクデータシンボルストリーム｛ｓｕｐ，ｍ｝を処理（例えば、復調、ディインタリーブ、または復号）する。各ユーザ端末の復号データは、記憶のためにデータシンク２４４および／または更なる処理のためにコントローラ２３０へ提供され得る。
【００２５】
ダウンリンクについて、アクセスポイント１１０で、ＴＸデータ処理装置２１０が、ダウンリンク送信について予定されたＮｄｎ個のユーザ端末に対してデータ送信装置２０８からトラフィックデータを、コントローラ２３０から制御データを、および恐らくスケジューラ２３４からの他のデータを受信する。さまざまなタイプのデータは異なるトランスポートチャネル上で送られ得る。ＴＸデータ処理装置２１０は、そのユーザ端末について選択されたレートに基づいて各ユーザ端末についてのトラフィックデータを処理（例えば、符号化、インターリーブ、変調）する。ＴＸデータ処理装置２１０は、Ｎｄｎ個のユーザ端末にＮｄｎ個のダウンリンクデータシンボルストリームを供給する。ＴＸ空間プロセッサ２２０は、Ｎｄｎ個のダウンリンクデータシンボルストリーム上で空間処理を実行し、Ｎａｐ個のアンテナにＮａｐ個の送信シンボルストリームを提供する。送信機ユニット２２２はそれぞれ、ダウンリンク信号を生成するためにそれぞれの送信シンボルストリームを受信し、処理する。Ｎｕｐ個の送信機ユニット２２２は、Ｎａｐ個のアンテナ２２４からユーザ端末まで送信のためにＮａｐ個のダウンリンク信号を提供する。
【００２６】
各ユーザ端末１２０で、Ｎｕｔ、ｍ個のアンテナ２５２はアクセスポイント１１０からＮａｐ個のダウンリンク信号を受信する。それぞれの受信機ユニット２５４は、関連するアンテナ２５２からの受信信号を処理し、受信シンボルストリームを提供する。ＲＸ空間プロセッサ２６０は、Ｎｕｔ，ｍ個の受信機ユニット２５４からのＮｕｔ，ｍ個の受信シンボルストリームについて受信機の空間処理を実行し、ユーザ端末に回復されたダウンリンクデータシンボルストリーム｛ｓｄｎ，ｍ｝を提供する。受信機の空間処理は、ＣＣＭＩ、ＭＭＳＥ、あるいはいくつかの他の技術に従って実行される。ＲＸデータプロセッサ２７０は、ユーザ端末に対して復号されたデータを得るために、回復されたダウンリンクデータシンボルストリームを処理（例えば、復調、ディインタリーブ、または復号）する。
【００２７】
各ユーザ端末１２０で、チャネル推定器２７８は、ダウンリンクチャネルレスポンスを推定しダウンリンクチャネル推定を提供する。それはチャネル利得推定、ＳＮＲ推定などを含み得る。同様に、チャネル推定器２２８は、アップリンクチャネルレスポンスを推定し、アップリンクチャネル推定を提供する。各ユーザ端末のコントローラ２８０は、典型的には、そのユーザ端末に対してダウンリンクチャネルレスポンスマトリックスＨｄｎ，ｍに基づいたユーザ端末のための空間周波数フィルターマトリックスを引き出す。コントローラ２３０は、有効なアップリンクチャネルレスポンスマトリックスＨｕｐ，ｅｆｆに基づいたアクセスポイントのための空間周波数フィルターマトリックスを引き出す。各ユーザ端末に対するコントローラ２８０は、アクセスポイントへフィードバック情報（例えば、ダウンリンクおよび／またはアップリンクステアリングベクトル、ＳＮＲ推定など）を送り得る。コントローラ２３０および２８０は、さらに、アクセスポイント１１０およびユーザ端末１２０でそれぞれさまざまな処理ユニットの動作をそれぞれコントロールする。
【００２８】
図３は、システム１００内で使用され得る無線デバイス３０２において利用され得るさまざまなコンポーネントを例示する。無線デバイス３０２は、ここに記載されたさまざまな方法を実現するように構成され得るデバイスの例である。無線デバイス３０２は、アクセスポイント１１０あるいはユーザ端末１２０であり得る。
【００２９】
無線デバイス３０２は、無線デバイス３０２の動作をコントロールするプロセッサ３０４を含み得る。プロセッサ３０４は、さらに、中央処理装置（ｃｅｎｔｒａｌ  ｐｒｏｃｅｓｓｉｎｇ  ｕｎｉｔ：ＣＰＵ）と呼ばれ得る。読み取り専用メモリ（ｒｅａｄ−ｏｎｌｙ  ｍｅｍｏｒｙ：ＲＯＭ）およびランダムアクセスメモリ（ｒａｎｄｏｍ  ａｃｃｅｓｅｓｓ  ｍｅｍｏｒｙ：ＲＡＭ）の両方を含み得るメモリ３０６は、プロセッサ３０４に命令とデータを提供する。メモリ３０６の一部はさらに不揮発性ＲＡＭ（ｎｏｎ−ｖｏｌａｔｉｌｅ  ｒａｎｄｏｍ  ａｃｃｅｓｓ  ｍｅｍｏｒｙ：ＮＶＲＡＭ）を含んでいてもよい。プロセッサ３０４は、典型的にはメモリ３０６内に格納されたプログラム命令に基づいた論理演算及び算術演算を実行する。メモリ３０６における命令は、ここに記述された方法をインプリメントするために実行可能であり得る。
【００３０】
無線デバイス３０２は、さらに無線デバイス３０２と遠隔地の間のデータの送信および受信を許可するために送信器３１０および受信機３１２を含んでいてもよくない収容する３０８を含んでいてもよい。送信器３１０および受信機３１２は、受信機３１４と結合され得る。複数の送信アンテナ３１６はハウシング３０８に取り付けられ、電気的にトランシーバ３１４に接続され得る。無線デバイス３０２は、さらに多数の送信器、多数の受信機および多数の受信機を含み得る（示されない）。
【００３１】
無線デバイス３０２は、さらに受信機３１４によって受信された信号のレベルを検知し、定量化するために使用され得る信号検出器３１８を含み得る。信号検出器３１８は、総エネルギー、１つのシンボル当たりの１つのサブキャリア当たりのエネルギー、パワースペクトル密度および他の信号のような信号を検知し得る。無線デバイス３０２は、さらに、信号を処理するのに使用されるデジタル信号プロセッサ（ｄｉｇｉｔａｌ  ｓｉｇｎａｌ  ｐｒｏｃｅｓｓｏｒ：ＤＳＰ）３２０を含み得る。
【００３２】
無線デバイス３０２のさまざまなコンポーネントは、バスシステム３２２によってともに連結され得て、それはデータバスに加えて電力バス、制御信号バスおよびステータス信号バスを含み得る。
【００３３】
ここに使用されるように、「レガシー」の用語は一般に、８０２．１１ｎあるいは標準の８０２．１１の旧バージョンをサポートする無線ネットワークノードを指す。
【００３４】
ある技術がＳＤＭＡに関してここに記述されている一方、当業者は、技術が、ＳＤＭＡ、ＯＦＤＭＡ、ＣＤＭＡおよびそれらの組合せのような任意のタイプの多元接続スキームを利用するシステムにおいて一般に適用され得ることを認識するだろう。
【００３５】
ＷＬＡＮにおけるＳＤＭＡ伝送に対するレンジングプロトコル
無線ローカルエリアネットワーク（ｗｉｒｅｌｅｓｓ  ｌｏｃａｌ  ａｒｅａ  ｎｅｔｗｏｒｋ：ＷＬＡＮ）システムでは、多数の局からのＳＤＭＡ伝送は、正確な復号を有するために循環的なプリフィックスの一部分と同期された時間であることを要求される。この開示の実施例は、ＷＬＡＮにおけるＳＤＭＡ送信を同期させるためのレンジングプロトコルを提供する。
【００３６】
図４は、開示の１つの実施例に従って、レンジング信号を使用してＷＬＡＮを同期させるために実行され得るレンジングのための例の動作を示す。動作は、ＡＰによって実行された動作及び局によって実行された対応する動作を含む。以下により非常に詳しく記載されるように、ＳＤＭＡシステムにおいて、多数の局は、例示された動作を同時に行ない得る。
【００３７】
動作は、複数の局（ＳＴＡ）へレンジング要求メッセージを送るアクセスポイント（ａｃｃｅｓｓ  ｐｏｉｎｔ：ＡＰ）を用いて４１０で始まる。４２０で、局は、レンジング要求を受信し、これに応じて、４３０で、レンジング信号を送る。４４０で、ＡＰは、レンジング信号を受信し、４５０で、各局に対するタイミング調整情報を決定する。
【００３８】
ある実施例については、動作４１０および４２０は、必要ではないかもしれない。例えば、レンジング要求に応じてレンジング信号を送るよりむしろ、局は、他のある機構に従ってレンジング信号を送り得る。ＡＰは、レンジング信号がいつ送られたかをそれが決定することを可能にするタイミング参照を有する限り、ＡＰは依然として各局に対して伝搬遅延を決定することができた。さらに、ある実施例については、ＡＰは、それが伝播遅延を決定することを可能にするいくつかの他の時間同期信号のような、レンジング信号以外の機構に基づきタイミング調整を決定することができ得る。
【００３９】
どんな場合も、４６０で、ＡＰは局へタイミング調整情報を伝える。４７０で、局は、タイミング調整情報を受信する。４８０で、局は、タイミング調整情報に基づいたアップリンク伝送の開始時間を調節する。各局で行われた調節は、理想的に、受け入れ可能な許容範囲内に整列したＡＰ時間に到着するＵＬ送信に帰着する。４９０で、ＡＰはアップリンクＳＤＭＡパケットを受信する。
【００４０】
図４の動作は図５に関連して理解され得て、それは、例のシステムにおいて局に対してレンジングの例のためのタイミング図４００を示す。第１のタイムスロットにおいて、ＡＰはレンジング要求（ＲＮＧ−ＲＥＱ）メッセージ５０２を送る。ある態様に従うと、ＲＮＧ−ＲＥＱメッセージ５０２は、図７に関して以下に記載されたＲＮＧ−ＲＥＱのようなフォーマットを有するＲＮＧ−ＲＥＱメッセージを備え得る。
【００４１】
例示されたように、ＲＮＧ−ＲＥＱメッセージ５０２は、受信機アドレス（ｒｅｃｅｒｉｖｅｒ  ａｄｄｒｅｓｓ：ＲＡ）としてレンジンググループＩＤの同時通信アドレス（Ｂｒｏａｄｃａｓｔ  Ａｄｄｒｅｓｓ）を備えたマルチキャストメッセージであり得る。ある実施例については、ＳＴＡはレンジンググループを形成し得、また、ＳＴＡはそれぞれレンジンググループＩＤを割り当てられ得る。レンジンググループＩＤは、例えば、登録処理中に、ＡＰと仲間のＳＴＡに割り当てられ得る。
【００４２】
ある実施例に従えば、レンジング要求メッセージ５０２の継続時間フィールドは、局から要求されるレンジング信号の伝送時間をカバーするためにセットされ得て、それらはＳＤＭＡを受け入れられない局に対応するのを助け得る。例えば、レガシー局のようなＳＤＭＡを受け入れられない局が、ここに記述されたレンジング動作を実行する必要はないので、そのような局は、単にレンジング要求を無視し、継続時間フィールドによって示された時間で送信することを差し控え得る。
【００４３】
短いインターフレームスペース（ｓｈｏｒｔ  ｉｎｔｅｒｆｒａｍｅ  ｓｐａｃｅ：ＳＩＦＳ）のような固定された継続時間の後、局はレンジング信号５０４で応答する。例示されるように、局によって送られたレンジング信号５０４は、異なる伝播遅延（例えば局とＡＰの間の異なる距離による）により、時間的に整列していない。しかしながら、各局が、レンジング信号を受信することに関連して、いつそのレンジング信号５０４を送るべきかを知っているので、各局の伝播遅延を計算することができる。
【００４４】
ある実施例について、局は、ＣＤＭＡベースのスキームを利用するレンジング信号５０４を送り得る。例えば、ある実施例について、各局は、Ｎビットのウォルシュ（Ｗａｌｓｈ）コードシーケンスを選択し、シーケンスを１組のサブシーケンスに分割し、利用可能なトーンの部分集合上のＯＦＤＭシンボルとしてサブシーケンスを送信し得る。これは最小のリソース消費を備えた効率的なレンジング送信に帰着し得る。
【００４５】
さまざまな技術は、ＡＰが各局によって送られたレンジング信号を識別することを可能にするために利用され得る。例えば、ある実施例について、各局は、複雑なＱＰＳＫのスクランブルシーケンスを選択されたウォルシュコードに乗算し得る。スクランブルシーケンスを発生するのに使用されるスクランブルの種は、ＡＰがレンジング信号を識別することを可能にして、局ＩＤに依存し得る。
【００４６】
相対的な伝播遅延に基づいて、ＡＰは、各局のタイミング調整情報を決定し、各局へタイミング調整情報を送ってもよい。例証されるように、ＡＰは任意の適切なタイプの依頼メッセージ（ｒｅｑｕｅｓｔ  ｍｅｓｓａｇｅ：ＲＭ）５０６のようなマルチキャストメッセージに含まれていたタイミング調整情報を送ってもよい。ある態様によれば、ＲＭ  ５０６は、図６に関して下に記述されたＴＲＭのようなトレーニング要求メッセージ（ｔｒａｉｎｉｎｇ  ｒｅｑｕｅｓｔ  ｍｅｓｓａｇｅ：ＴＲＭ）を含む。局は、様々なＳＤＭＡアップリンク（ＵＬ）送信（サウンディングメッセージ、ブロックＡＣＫ、およびＳＤＭＡデータの送信のような）の開始時間を調節するレンジング処理からのタイミング調節情報を使用し、したがって、それらの到着はＡＰがＳＤＭＡ送信を有効に復号することを可能にして、他の局から送信の到着と同期している。ある実施例について、第１のレンジング動作に加えて、ＡＰは、さらに受信ＵＬ送信に基づいて、フィードバックとしてタイミング調整を提供し得る。
【００４７】
ある実施例について、ＡＰは、（例えば、図５に示されるようなタイミング情報を備えたＲＭ５０６に送られた）タイミング調節情報として、各局がＳＤＭＡ  ＵＬ送信の開始時間を調節するために使用し得る関係する遅れを送り得る。例えば最も大きな伝播遅延（例えばＡＰから最も遠いもの）を備えた局は、最も小さな（あるいは無しの）タイミング調整を有し得、したがって、その送信は、より大きな伝播遅延を補うために他の局より早く送られる。より小さな伝播遅延（最大に関係して）を備えた局はそれらのＳＤＭＡ  ＵＬ送信の開始を遅らせることによりそれらのタイミングを調節し得る。
【００４８】
このアルゴリズムは、４つの局ＳＴＡ１−ＳＴＡ４を仮定する単純な例によって例示され得る。４つの局からレンジング信号を受信した後に、ＡＰは、ＳＴＡ４が最大の伝播遅延（ｍａｘＤ）を持っていることを決め得る。この最大の伝播遅延はそれらの対応する伝播遅延に基づいたすべての局のタイミングを調節するために使用され得る。
【００４９】
局ＳＴＡ１、ＳＴＡ２およびＳＴＡ３を仮定して、例えば、伝播遅延Ｄａ１、Ｄａ２およびＤａ３を持っている、ＡＰは、それらの送信が以下のように送らされるように、それらのタイミング調整を計算し得る。
【００５０】
ＳＴＡ１送信はｍａｘＤ−Ｄａ１により遅れ得る；
ＳＴＡ２送信はｍａｘＤ−Ｄａ２により遅れ得る；
ＳＴＡ１送信はｍａｘＤ−Ｄａ３により遅れ得る；
実際のタイミング調整情報は任意の適切な形式で伝えられ得る。例えば、ある実施例について、タイミング調整は、事前に定義された遅れの増加において関係する遅れを示すＮビットコードとして伝えられ得る。例えば、５０ナノ秒の遅れの増加を仮定して、２に相当する値を備えたＮビットコードは１００ナノ秒の伝送遅延に帰着するだろう。
【００５１】
レンジング動作が、調節の実際の増加および範囲と同様に、どれくらい頻繁に行なわれるかは、局がどのくらい速く移動するか予想されるように予期された応用パラメータに基づいて決定され得る。例えば、逆方向に入る２つのノードと共にさえ、１０Ｋｍ／ｈ（およそ８．３フィート／ｓ）の最大速度を仮定して、生じる相対速度はおよそ１６．６フィート／ｓになるだろう。この速度で５０フィート（伝播遅延においておよそ５０ナノ秒の変更に対応する）を移動するための近似の時間は、３秒である。したがって、この比較的極端なシナリオでは、３秒ごとにレンジング動作を実行することは、局を同期させておくのに恐らく十分だろう。より正常なシナリオでは、レンジング動作を１０秒ごとに一度行なうことは、おそらく十分以上であるだろう。遅れ範囲に関して、３００フィート（１００ｍ）の範囲要求、１フィート当たり１ナノ秒の伝播遅延、および５０ナノ秒のサンプリング継続時間を仮定して、最大遅延（３００ナノ秒に対応する）は６つの例になるだろう。したがって、タイミング調整情報を表わすための最大３ビットがこのシナリオにおいて十分だろう。
【００５２】
図６は、現在の開示のある実施例のためのタイミング調整情報を伝えるために、ＡＰが使用し得るトレーニング依頼メッセージ（ｔｒａｉｎｉｎｇ  ｒｅｑｕｅｓｔ  ｍｅｓｓａｇｅ：ＴＲＭ）６００の例のフォーマットを例示する。ある実施例によれば、ＴＲＭ６００は、フレームコントロール（ｆｒａｍｅ  ｃｏｎｔｒｏｌ：ＦＣ）フィールド６０２を含み得る。ＦＣフィールド６０２は、プロトコルバージョン、フレームタイプ、およびサブタイプのようなさまざまな情報を備えたビット数（例えば１６ビット）を含み得る。
【００５３】
ＴＲＭ６００は、さらに関連する送信がどれくらいの時間使用されるか示す継続時間／ＩＤフィールド６０４を含み得る。継続時間／ＩＤフィールド６０４は、例えば、１６ビットを含み得て、それは、後の送信（例えば追加トレーニングあるいは肯定応答）をカバーするようセットされ得る。
【００５４】
ＴＲＭ６００は、さらに受信者アドレスあるいは、宛先アドレス（ｄｅｓｔｉｎａｔｉｏｎ  ａｄｄｒｅｓｓ：ＤＡ）６０６ソースアドレス（ｓｏｒｃｅ  ａｄｄｒｅｓｓ：ＳＡ）６０８（それは両方とも４８ビットのアドレスかもしれない）を例えば含み得る。ＤＡ６０６は、情報を受信する組の局のためにマルチキャスト／ブロードキャストアドレスにセットされ得る。ＳＡ６０８は、ＴＲＭを送るＡＰのアドレスにセットされ得る。送信機会（ＴｘＯＰ）フィールド６１０は、ＴＲＭ６００の肯定応答に割り付けられる時間の量を（例えば１０ビットで）示し得る。ターゲット受信（Ｒｘ）パワーフィールド６１２は、基準受信パワー（例えば、６ビットの数として）の表示を提供し得る。受信局は、ＡＰへの局の接近の表示を得るために、ＴＲＭ（局で受け取られたように）の実際の受信パワーを目標Ｒｘパワーフィールドと比較し、したがって、その送信パワーを調節し得る。較正（ＣＡＬ）位置フィールド６１４は、較正動作のオカレンス／非オカレンスを示すために１つ以上のビット集合を持ち得る。いくつかの実施例によれば、１セットの予約のビット６１６（例えば７ビット）は将来の機能性を提供するために保存されてもよい。ＣＲＣフィールド６１８（例えば３２ビット）は誤り訂正を考慮に入れ得る。
【００５５】
ＴＲＭ６００は、さらに局のグループのための情報を含み得る局情報フィールド６２０を含み得る。例示されるように、いくつかの実施例については、局情報フィールド６２０は、多くの局のための情報を含み得る。局の数が変わり得るので、局情報フィールド６２０のサイズは変わり得る。各局に対して、局ｉｄ（ＳＴＡ  ＩＤ）フィールド６２２、多くの空間ストリーム（＃ＳＳ）が局に割り付けられることを示すフィールド６２４、およびリンギングフィールド６２６。ＳＴＡ  ＩＤフィールド６２２は、局の識別（例えば、１６ビットＩＤ）を含み得て、その一方で、＃ＳＳフィールド６２４は、識別された局に割り当てられた空間ストリームの数（例えば、４ビットの数のように）を示す一方、レンジングフィールド６２６は、異なる局からのＳＤＭＡ送信がＡＰにほとんど同時に到着するように伝送タイミングを進めるかまたは遅らせるために多くの時間の増加（例えば４ビット）を特定し得る。
【００５６】
ある実施例について、ＴＲＭメッセージは、単に義務的なフィールドとして例示されたフィールドの部分集合を要求し得る。例えば、ある実施例について、ＦＣフィールド６０２、継続時間／ＩＤフィールド６０４、ＤＡフィールド６０６、ＳＡフィールド６０８、ＳＴＡ  ＩＮＦＯフィールド６２０およびＣＲＣ６１８だけが義務的であり得る。さらに、ある実施例のために、それほど効率的でない間に、ＳＴＡ  ＩＮＦＯフィールド６２０での複数の局のための情報を並べることを含んでいるのではなく、個別のメッセージは各局へ送られてもよい。
【００５７】
図７は、現在の開示のある実施例についてのレンジング署名を送るように局に促すために、ＡＰが送り得るレンジング要求（ＲＮＧ−ＲＥＱメッセージ）７００のサンプルのフォーマットを例示する。ＴＲＭ６００について、上に記載されたように、ＲＮＧ−ＲＥＱメッセージが、さらにＦＣフィールド７０２、継続時間／ＩＤフィールド７０４、ＤＡフィールド７０６、ＳＡフィールド７０８およびＣＲＣフィールド７１４を含み得るとともに、それらは、ＴＲＭ  ６００に関して上に記述されるように使用され得る。
【００５８】
一般に、ＲＮＧ−ＲＥＱメッセージはレガシーメッセージフォーマットを利用し得るが、レンジンググループＩＤフィールド７１０をさらに含み得る。このフィールドは存在し（例えば１６ビット）、１組の局のためのレンジンググループＩＤを識別し得る。継続時間／ＩＤフィールド７０４は、後のトレーニング（例えばサウンディングとＣＱＩ）フレームをカバーするようにセットされ得る。ＲＮＧ−ＲＥＱメッセージ７００は、さらに各種情報を伝えるために使用され得る１つ以上のタイプ長さ変数（ＴＬＶ）フィールド７１２を含み得る。
【００５９】
ある実施例については、ＲＮＧ−ＲＥＱメッセージは、単に義務的なフィールドとして例示されたフィールドの部分集合を要求し得る。例えば、ある実施例について、少なくともＤＡフィールド７０６およびレンジンググループＩＤフィールド７１０は義務的であり得る。しかしながら、ある実施例によれば、レンジンググループＩＤフィールド７１０の使用は、明白にターゲットとされた局を識別し、このように、ＤＡフィールド７０６を使用する必要を除去し得る。
【００６０】
上に記載された方法の各種の動作は、さまざまなハードウェア、ソフトウェアコンポーネントおよび／または図において例示された手段プラス機能のブロックに対応するモジュールにおいてインプリメントされたロジックによって行なわれ得る。一般に、対応するカウンターパートの手段プラス機能の図を有する図の任意の適切な手段において例示された方法があるところでは、動作ブロックは手段プラスの機能ブロックに相当する。例えば、図４に示される動作４００は、図４Ａの中で示される対応する手段４００Ａによって実行され得る。
【００６１】
ここに使用されたとともに、用語「決定すること」はさまざまなアクションを包含する。例えば、「決定すること」は、計算すること、コンピューティングすること、処理すること、駆動すること、処理すること、調査すること、ルックアップすること（例えば、テーブル、データベースあるいは別のデータ構造においてルックアップする）、確認することなどを含み得る。さらに、「決定すること」は、受信すること（例えば、情報を受信すること）、アクセスすること（例えば、メモリ内のデータをアクセスすること）、およびその他同種のものを含み得る。さらに、「決定すること」は、解決すること、選択すること、選択すること、確立すること、およびその他同種のものを含み得る。
【００６２】
情報と信号は、任意の様々な異なる技術および技法を使用して表わされ得る。例えば、上記の記述の全体にわたって参考され得るデータ、命令、コマンド、情報、信号などは、電圧、電流、電磁波、磁界あるいは磁性粒子、光学フィールドあるいは光学粒子、あるいはそれの任意の組合せによって表わされ得る。
【００６３】
この開示に関して記載されたさまざまな実例となる論理ブロック、モジュール、および回路は、汎用プロセッサ、デジタル信号プロセッサ（ｄｉｇｉｔａｌ  ｓｉｇｎａｌ  ｐｒｏｃｅｓｓｏｒ：ＤＳＰ）、特定用途向けＩＣ（ａｐｐｌｉｃａｔｉｏｎ  ｓｐｅｃｉｆｉｃ  ｉｎｔｅｇｒａｔｅｄ  ｃｉｒｃｕｉｔ：ＡＳＩＣ）、フィールドプログラマブルゲートアレイ信号（ｆｉｅｌｄ  ｐｒｏｇｒａｍｍａｂｌｅ  ｇａｔｅ  ａｒｒａｙ  ｓｉｇｎａｌ：ＦＰＧＡ）あるいは他のプログラマブルロジックデバイス（ｐｒｏｇｒａｍｍａｂｌｅ  ｌｏｇｉｃ  ｄｅｖｉｃｅ：ＰＬＤ）でインプリメントされてもよいし行なわれてもよい、個別のゲートあるいはトランジスターロジック、個別のハードウェア構成機器あるいはそれのここに記述された機能を実行するよう設計されたそれらの任意の組合せを用いてインプレメントされるかまたは実行される。汎用プロセッサはマイクロプロセッサであり得るが、代わりに、プロセッサは任意の市販で手に入るプロセッサ、コントローラ、マイクロコントローラ、あるいはステートマシンであり得る。プロセッサは、さらに、コンピューティング装置、例えば、ＤＳＰとマイクロプロセッサの組合せ、複数のマイクロプロセッサ、ＤＳＰのコアと協力する１個以上のマイクロプロセッサ、あるいは他のそのような構成の組み合わせとしてインプリメントされ得る。
【００６４】
この開示に関して記載された方法あるいはアルゴリズムのステップは、ハードウェアにおいて、プロセッサによって実行されたソフトウェアモジュールにおいて、あるいは２つの組合せにおいて直接具体化され得る。ソフトウェアモジュールは、技術において知られている任意の形式の記憶媒体に存在し得る。使用され得る記憶媒体のいくつかの例は、ランダムアクセスメモリ（ｒａｎｄｏｍ  ａｃｃｅｓｓ  ｍｅｍｏｒｙ：ＲＡＭ）を含んでいる、読み取り専用メモリ（ｒｅａｄ  ｏｎｌｙ  ｍｅｍｏｒｙ：ＲＯＭ）、フラッシュメモリ、ＥＰＲＯＭメモリ、ＥＥＰＲＯＭメモリ、レジスタ、ハードディスク、取外し可能なディスク、ＣＤ−ＲＯＭなどを含む。ソフトウェアモジュールは、単一命令、あるいは多くの命令を備え、また、いくつかの異なるコードセグメントを超えて、さまざまなプログラムの間に、および多数の記憶媒体を横切って分配され得る。記憶媒体は、プロセッサが記憶媒体から情報を読み出し、そこへ情報を書き込むことができるようなプロセッサに接続され得る。代わりに、記憶媒体はプロセッサに不可欠であり得る。
【００６５】
ここに示された方法は、上記方法を達成するための１つ以上のステップあるいはアクションを含む。方法のステップおよび／またはアクションは、請求項の範囲から外れずに互いに交換され得る。言いかえれば、ステップまたはアクションの特定の順序が指定されなければ、特定のステップおよび／またはアクションの順序および／または使用は、請求項の範囲から外れずに修正され得る。
【００６６】
記述された機能は、ハードウェア、ソフトウェア、ファームウェア、あるいはそれの任意の組合せにおいてインプリメントされ得る。もしソフトウェアにおいてインプリメントされれば、機能は、コンピュータ読み出し可能な媒体上の１つ以上の命令として格納され得る。記憶媒体は、コンピュータによってアクセスすることができる任意の利用可能な媒体であり得る。限定ではなく例という意図で、そのようなコンピュータが読み出し可能な媒体は、ＲＡＭ、ＲＯＭ、ＥＥＰＲＯＭ、ＣＤ−ＲＯＭまたは他の光学ディスク記憶装置、磁気ディスク記憶装置、あるいは、命令又はデータの構造の形式で希望するプログラムコードを移動し、記憶するために使用されることができ、コンピュータによってアクセスされることができる他の磁気記憶装置を含むことができる。ここで使用されるようなディスク（ｄｉｓｋ）とディスク（ｄｉｓｃ）は、ディスク（ｄｉｓｋ）は通常データと時期的に再生する一方、ディスク（ｄｉｓｃ）は、レーザーを用いて光学的に再生するコンパクトディスク（ｃｏｍｐａｃｔ  ｄｉｓｃ：ＣＤ）、レーザーディスク（登録商標）、光ディスク、ディジタル・バーサタイル・ディスク（ｄｉｇｉｔａｌ  ｖｅｒｓａｔｉｌｅ  ｄｉｓｃ：ＤＶＤ）を含む。
【００６７】
ソフトウェアまたは命令は、さらに伝送媒体を通して送信され得る。例えば、ソフトウェアが、同軸ケーブル、光ファイバーケーブル、ツイステッドペア、デジタル加入者線（ｄｉｇｉｔａｌ  ｓｕｂｓｃｒｉｂｅｒ  ｌｉｎｅ：ＤＳＬ）、あるいは赤外線、ラジオ、マイクロ波のような無線技術を使用して、ソフトウェアがウェブサイト、サーバーあるいは他の遠隔出所から送信される場合、同軸ケーブル、光ファイバーケーブル、ツイステッドペア、ＤＳＬ、あるいは赤外線、ラジオ、およびマイクロ波のような無線技術は、伝送媒体の定義に含まれ得る。
【００６８】
さらに、ここに記載された方法および技術を実行するためのモジュールおよび／または他の適切な手段は、ダウンロードされ、および／または、そうでなければ、適用可能なユーザ端末および／または局によって得られることができることは認識されるべきである。例えば、そのような装置はここに記述された方法を実行する手段の転送を促進するためにサーバーに接続されることができる。あるいは、ここに記述されたさまざまな方法は、ユーザ端末および／または基地局が、装置に記憶手段をつなぐか提供することについてさまざまな方法を得ることができるように、記憶手段（例えばＲＡＭ、ＲＯＭ、コンパクトディスク（ｃｏｍｐａｃｔ  ｄｉｓｃ：ＣＤ）、あるいはフロッピー（登録商標）ディスクのような物理的な記憶媒体など）によって提供されることができる。さらに、デバイスにここに記載された方法や技術を提要するのにふさわしい他の技術は利用されることができる。
【００６９】
請求項が上に例証された正確な構成およびコンポーネントに限定されていないことは理解されるべきである。様々な修正、変更および変化は、請求項の範囲から外れずに、上に記述された配置、操作、および上に記述された方法と装置の詳細において行なわれ得る。
以下に、本願出願当初の特許請求の範囲に記載された発明を付記する。
［１］無線通信システムにおいてパケット伝送のタイミングを調節する方法であって、
複数の無線ネットワークノードからレンジング信号を受信すること、前記レンジング信号に基づいて前記無線ネットワークノードからのパケット伝送を開始するタイミングの調節のためにタイミング調整情報を決定すること、および前記無線ネットワークノードに前記タイミング調整情報を伝えることを備える方法。
［２］さらに、前記無線ネットワークノードにレンジング要求メッセージを送信すること、および、そこでは前記レンジング信号は、前記レンジング要求メッセージに応じて受信されることを備える［１］の方法。
［３］前記複数の無線ネットワークはレンジンググループに属すること、および、前記レンジング要求メッセージは、宛先アドレスとして、前記レンジンググループに対応する識別を含む［２］の方法。
［４］レンジング信号は、符号分割多元接続（ｃｏｄｅ  ｄｉｖｉｓｉｏｎ  ｍｕｌｔｉｐｌｅ  ａｃｃｅｓｓ：ＣＤＭＡ）送信スキームを使用して、前記無線ネットワークノードから送信される、［１］の方法。
［５］前記レンジング信号に基づいた前記無線ネットワークノードからのパケット伝送を開始するタイミングを調節するためにタイミング調整情報を決定することは、  各ノードの伝播遅延を計算すること、前記計算された伝播遅延から最大の伝播遅延を決定すること、および各ノードについて伝播遅延および前記最大の伝播遅延に基づいて各ノードのタイミング調整を決定することを備える［１］の方法。
［６］前記無線ネットワークノードに前記タイミング調整情報を伝えることは、タイミング調整情報を含んでいる１つ以上の要求メッセージ（ＲＭ）を送信することを備える［１］方法。
［７］前記タイミング調整情報を含む１つ以上の要求メッセージ（ｒｅｑｕｅｓｔ  ｍｅｓｓａｇｅ：ＲＭ）の送信は、前記複数の無線ノードのブロードキャストアドレスを有する要求メッセージ（ＲＭ）を送信することを備え、そして、前記要求メッセージは、前記複数の無線ノードのためのタイミング調整情報を含む［１］の方法。
［８］さらに、前記無線ノードのための前記タイミング調整情報を更新するために受信すること、決定すること、および通信することを繰り返すことを備える［１］の方法。
［９］無線通信システムにおけるパケット伝送の前記タイミングを調節する方法であって、前記タイミング調整情報を受信すること、および同時に多元接続（ＭＡ）スキームによってパケットを送信するために多数の無線ノードによって使用されるアップリンク接続についてのパケットを送信する前記タイミングを調節するために前記タイミング調整情報を利用することを備える方法。
［１０］レンジング信号を送信することを備え、そして、そこでは前記受信されるタイミング調整情報は、少なくとも一部分で、前記送信されるレンジング信号に基づいて計算される［９］の方法。
［１１］レンジング要求メッセージを受信すること、および前記レンジング要求メッセージに応じて前記レンジング信号を送信することを備える［１０］の方法。
［１２］多元接続スキームは空間の区分多元接続（ｓｐａｔｉａｌ  ｄｉｖｉｓｉｏｎ  ｍｕｌｔｉｐｌｅ  ａｃｃｅｓｓ：ＳＤＭＡ）を備える［９］の方法。
［１３］無線通信システムにおけるパケット伝送のタイミングを調節するための装置であって、複数の無線ネットワークノードからレンジング信号を受信するためのロジック、前記レンジング信号に基づいて前記無線ネットワークノードからのパケット伝送を開始するタイミングを調節するためにタイミング調整情報を決定するためのロジック、および無線ネットワークノードに前記タイミング調整情報を伝えるためのロジックを含む装置。
［１４］前記無線ネットワークノードにレンジング要求メッセージを送信するためのロジックを備え、そして、そこでは前記レンジング信号は、前記レンジング要求メッセージに応じて複数の無線ノードから送られる［１３］の装置。
［１５］前記複数の無線ネットワークは、レンジンググループに属し、また、前記レンジング要求メッセージは、宛先アドレスとして、前記レンジンググループに対応する識別を含む［１４］の装置。
［１６］レンジング信号は、符号分割多元接続（ｃｏｄｅ  ｄｉｖｉｓｉｏｎ  ｍｕｌｔｉｐｌｅ  ａｃｃｅｓｓ：ＣＤＭＡ）送信スキームを使用して、前記無線ネットワークノードから送信される［１３］の装置。
［１７］前記レンジング信号に基づいて前記無線ネットワークノードからのパケット伝送を介するタイミングを調節するためにタイミング調整情報を決定することは、各ノードの伝播遅延を計算するためのロジック、前記計算された伝播遅延から最大の伝播遅延を決定するためのロジック、および各ノードの伝播遅延および最大の伝播遅延に基づいて各ノードのタイミング調整を決定するためのロジックを備える［１３］の装置。
［１８］前記無線ネットワークノードに前記タイミング調整情報を伝えることは、前記タイミング調整情報を含んでいる１つ以上の要求メッセージ（ＲＭ）を送信するためのロジックを備える［１３］の装置。
［１９］前記タイミング調整情報を含んでいる１つ以上の要求メッセージ（ＲＭ）を送信することは、前記複数の無線ノードのブロードキャストアドレスを持ち、前記複数の無線ノードのためのタイミング調整情報を含んでいる要求メッセージ（ＲＭ）を送信するためのロジックを備える［１８］の装置。
［２０］前記無線ネットワークノードが周期的に通信する前記タイミング調整情報を通信する前記ロジックは、前記無線ノードに対してタイミング調整情報を更新する［１３］の装置。
［２１］無線通信システムにおけるパケット伝送の前記タイミングを調節するための装置であって、タイミング調整情報を受信するためのロジック、および同時に多元接続（ＭＡ）スキームによってパケットを送信するために多数の無線ノードによって使用されるアップリンク接続におけるパケットを送信するタイミングを調節するためにタイミング調整情報を利用するためのロジックを備える装置。
［２２］レンジング信号を送信するためのロジックを備え、そして、そこでは前記受信されたタイミング調整情報は、少なくとも一部分において、前記送信されたレンジング信号に基づいて計算される［２１］の装置。
［２３］レンジング要求メッセージを受信するためのロジック、および前記レンジング要求メッセージに応じて前記レンジング信号を送信するためのロジックを備える［２２］の装置。
［２４］前記多元接続スキームは、空間分割多元接続（ｓｐａｔｉａｌ  ｄｉｖｉｓｉｏｎ  ｍｕｌｔｉｐｌｅ  ａｃｃｅｓｓ：ＳＤＭＡ）を備える［２１］の装置。
［２５］無線通信システムにおけるパケット伝送の前記タイミングを調節するための装置であって、複数の無線ネットワークノードからレンジング信号を受信するための手段、前記レンジング信号に基づいて前記無線ネットワークノードからのパケット伝送を開始するタイミングの調節のためにタイミング調整情報を決定するための手段、および前記無線ネットワークノードに前記タイミング調整情報を伝えるための手段を備える装置。
［２６］前記無線ネットワークノードにレンジング要求メッセージを送信するための手段を備え、そして、そこではレンジング信号は、レンジング要求メッセージに応じて複数の無線ノードから送られる［２５］の装置。
［２７］前記複数の無線ネットワークはレンジンググループに属し、また、前記レンジング要求メッセージは、宛先アドレスとして、前記レンジンググループに対応する識別を備える［２６］の装置。
［２８］レンジング信号は、符号分割多元接続（ＣＤＭＡ）送信スキームを使用して、前記無線ネットワークノードから送信される［２５］の装置。
［２９］前記レンジング信号に基づいて前記無線ネットワークノードからのパケット伝送を開始するタイミングを調節するためにタイミング調整情報を決定することは、各ノードの伝播遅延を計算するための手段、前記計算された伝播遅延から最大の伝播遅延を決定するための手段、および各ノードの前記伝播遅延および最大の伝播遅延に基づいた各ノードのタイミング調整を決定するための手段を備える［２５］の装置。
［３０］前記無線ネットワークノードに前記タイミング調整情報を伝えることは、前記タイミング調整情報を含んでいる１つ以上の要求メッセージ（ＲＭ）を送信するための手段
を備える［２５］の装置。
［３１］タイミング調整情報を含んでいる１つ以上の要求メッセージ（ＲＭ）の送信は、前記複数の無線ノードのブロードキャストアドレスを持っており、前記複数の無線ノードのためのタイミング調整情報を含んでいる依頼メッセージ（ＲＭ）を送信するための手段を備える［２５］の装置。
［３２］前記無線ネットワークノードが周期的に通信する前記タイミング調整情報を通信するためのロジックは、前記無線ノードに対するタイミング調整情報を更新する［２５］の装置。
［３３］無線通信システムでのパケット伝送の前記タイミングを調節するための装置であって、  タイミング調整情報を受信するための手段、および同時に多元接続（ＭＡ）スキームによってパケットを送信するために多数の無線ノードによって使用されるアップリンク接続についてのパケットを送信する前記タイミングを調節するために前記タイミング調整情報を利用するための手段を備える装置。
［３４］レンジング信号を送信するための手段を備え、そして、そこでは前記受信されたタイミング調整情は、少なくとも一部分において、前記送信されたレンジング信号に基づいて計算される［３３］の装置。
［３５］レンジング要求メッセージを受信するための手段、および前記レンジング要求メッセージに応じて前記レンジング信号を送信するための手段を備える［３３］の装置。
［３６］前記多元接続スキームは、空間分割多元接続（ＳＤＭＡ）を備える［３３］の装置。
［３７］その上に命令を格納するコンピュータ可読媒体を含む無線通信システムでのパケット伝送のタイミングを調整するためのコンピュータプログラム製品であって、前記命令は、１台以上のプロセッサによって実行可能な命令であり、また、前記命令は、複数の無線ネットワークノードからレンジング信号を受信すること、前記レンジング信号に基づいて前記無線ネットワークノードからのパケット伝送を開始するタイミングを調節するためにタイミング調整情報を決定すること、および前記無線ネットワークノードに前記タイミング調整情報を伝えることのための命令を備えるコンピュータプログラム製品。
［３８］その上に命令を格納するコンピュータ可読媒体を含む無線通信システムでのパケット伝送のタイミングを調整するためのコンピュータプログラム製品であって、前記命令は、１台以上のプロセッサによって実行可能な命令であり、また、前記命令は、タイミング調整情報を受信すること、および同時に多元接続（ＭＡ）スキームによってパケットを送信するために多数の無線ノードによって使用されるアップリンク接続についてのパケットを送信する前記タイミングを調節するために前記タイミング調整情報を利用すること
のための命令を備えるコンピュータプログラム製品。
【図１】
0005199469.tif 000002
【図２】
0005199469.tif 000003
【図３】
0005199469.tif 000004
【図４】
0005199469.tif 000005
【図４Ａ】
0005199469.tif 000006
【図５】
0005199469.tif 000007
【図６】
0005199469.tif 000008
【図７】
0005199469.tif 000009